(57)【要約】【課題】コストアップすることなく、小型化された画像形成装置のトナー消費を抑制すること。【解決手段】カセット内シートサイズ検出装置16及びシート配置検出装置33は、シート搬送方向と直交する方向のシートサイズを検出し、シート配置検出装置33は、シートの位置ズレをも検出し、マイコン50は、カセット内シートサイズ検出装置16及びシート配置検出装置33の検出結果に基づいて、画像形成部からシートに対する画像の転写を行うか否かを制御することを特徴とする。【選択図】  図３
2006308927.tif 000002
【特許請求の範囲】
【請求項１】
シートに画像形成を行う画像形成部と、シートを積載するシート積載手段と、前記シート積載手段内に積載されるシートサイズを検出する第１シートサイズ検出手段と、前記画像形成部のシート搬送方向上流側でシートサイズを検出する第２シートサイズ検出手段と、前記第１シートサイズ検出手段及び前記第２シートサイズ検出手段から得られたシートサイズを比較する制御手段と、を有する画像形成装置において、
前記第１シートサイズ検出手段及び前記第２シートサイズ検出手段は、シート搬送方向と直交する方向のシートサイズを検出可能であり、
前記第２シートサイズ検出手段は、シートの位置ズレをも検出可能であり、
前記制御手段は、前記第１シートサイズ検出手段及び前記第２シートサイズ検出手段の検出結果に基づいて、前記画像形成部からシートに対する画像の転写を行うか否かを決定することを特徴とする画像形成装置。
【請求項２】
前記制御手段は、前記第１シートサイズ検出手段及び前記第２シートサイズ検出手段の検出結果が適正に対応しない場合、前記画像形成部からシートに対する画像の転写を行わないように制御することを特徴とする請求項１に記載の画像形成装置。
【請求項３】
前記制御手段は、前記第１シートサイズ検出手段及び前記第２シートサイズ検出手段の検出結果が適正に対応しない場合、前記画像形成部における画像形成動作を行わないように制御することを特徴とする請求項１又は２に記載の画像形成装置。
【請求項４】
前記制御手段は、前記第１シートサイズ検出手段及び前記第２シートサイズ検出手段の検出結果が適正に対応しない場合、シートを装置外に排出させることを特徴とする請求項１乃至３のいずれかに記載の画像形成装置。
【請求項５】
前記制御手段は、前記第１シートサイズ検出手段の検出結果が、前記第２シートサイズ検出手段の検出結果よりも小さい場合、前記画像形成部によりシートに画像の転写を行うように制御することを特徴とする請求項１に記載の画像形成装置。
【請求項６】
ユーザにシートの搬送状況を報知する表示手段を有し、
前記制御手段は、前記第１シートサイズ検出手段及び前記第２シートサイズ検出手段の検出結果が適正に対応しない場合、前記表示手段にエラー情報を表示することを特徴とする請求項１乃至５のいずれかに記載の画像形成装置。
【請求項７】
ユーザがシートサイズを入力する入力手段を有し、
前記第１シートサイズ検出手段は、前記入力手段の入力結果に基づいてシートサイズを検出することを特徴とする請求項１乃至６のいずれかに記載の画像形成装置。
【発明の詳細な説明】
【技術分野】
【０００１】
本発明は、シートサイズを検出する検出手段を有する画像形成装置に関するものである。
【背景技術】
【０００２】
図１６を用いて従来の画像形成装置の構成を説明する。図１６に示すように、従来、シートＳの搬送方向長さを検出しつつ、画像形成を行う画像形成装置がある（例えば、特許文献１参照）。
【０００３】
画像形成装置100は、給送カセット101やマルチトレイ102から給送口103を通じて給送されたシートＳに対して、レジストローラ104により斜行を矯正された後、画像形成部105により画像形成が行われる。
【０００４】
給送カセット101は、メカニカルなフラグとフォトインタラプタとを用いたカセットシート有無センサ106が装備され、シートＳの有無が検出される。また、積載するシートＳの搬送方向のサイズを設定する不図示の規制板の配置に連動して動作するメカニカルなフラグとプッシュスイッチ等を用い、給送カセット内に積載されているシートＳの搬送方向のサイズを検出するカセットサイズ検出センサ107が装備される。
【０００５】
マルチトレイ102においては、メカニカルなフラグとフォトインタラプタとを用いたマルチシート有無センサ108が装備され、マルチトレイ102内のシートＳの有無が検出される。マルチトレイ102内のシートＳは、ピックアップ＆フィードローラ110により給送口103に向けて給送される。マルチトレイ102は、ＯＨＴ（オーバーヘッドプロジェクタ用の透過性シート）、色付きのシート、封筒等のシートを一時的にプリントする際において、簡単に給送口に設定できる利点を有している。
【０００６】
給送口103下流のレジストローラ104には、不図示のレジシャッタが配設されており、シートＳの先端が突き当たることにより斜行が矯正される（例えば、特許文献２参照）。レジシャッタの端部には、レジシャッタと連動して動作するメカフラグ及びフォトインタラプタにより構成されるシート先端レジストセンサ109が装備されており、レジシャッタの動作タイミング、つまりシートＳの先端がレジストローラ104に突入してきたタイミング及びシートＳの後端が抜けたタイミングが検出される。
【０００７】
画像形成装置は、このシート先端レジストセンサ109の信号情報により、給送されているシートＳの搬送方向における先端位置、後端位置を検出し、これに基づいてシートの搬送方向のサイズを算出する。ここで、マルチトレイ102から送り出されるシートのサイズが検知され、給送カセット101から送り出されるシートのサイズはカセットサイズ検出センサ107により既に検出しているので、実際に搬送されているシートＳの搬送方向サイズとの比較を行い、シートサイズが一致しているか否かを検出する。
【０００８】
【特許文献１】特開２００３−９５４８２
【特許文献２】特開平９−１８３５３９
【発明の開示】
【発明が解決しようとする課題】
【０００９】
しかしながら、シート先端レジストセンサ109を用いたシートサイズ検出方法においては、少なくともシートの後端がシート先端レジストセンサ109を通過しないと、シートのサイズを検出できない。ここで、小型化をされた画像形成装置においては、レジストローラ104から画像形成部105までの距離は小さく設定されている。このため、実際のシートのサイズを検出した時には、既に画像形成部105による画像形成動作は中途段階にまで至っている。この結果、シートサイズ不一致が検出された場合、シートサイズ不一致としてシートＳを排出しても、一部ではあるが、既に不要なトナー消費を行ってしまうという問題があった。
【００１０】
そこで本発明は、コストアップすることなく、小型化された画像形成装置のトナー消費を抑制することを目的とする。
【課題を解決するための手段】
【００１１】
前記目的を達成するための本発明に係る代表的な構成は、シートに画像形成を行う画像形成部と、シートを積載するシート積載手段と、前記シート積載手段内に積載されるシートサイズを検出する第１シートサイズ検出手段と、前記画像形成部のシート搬送方向上流側でシートサイズを検出する第２シートサイズ検出手段と、前記第１シートサイズ検出手段及び前記第２シートサイズ検出手段から得られたシートサイズを比較する制御手段と、を有する画像形成装置において、前記第１シートサイズ検出手段及び前記第２シートサイズ検出手段は、シート搬送方向と直交する方向のシートサイズを検出可能であり、前記第２シートサイズ検出手段は、シートの位置ズレをも検出可能であり、前記制御手段は、前記第１シートサイズ検出手段及び前記第２シートサイズ検出手段の検出結果に基づいて、前記画像形成部からシートに対する画像の転写を行うか否かを決定することを特徴とする。
【発明の効果】
【００１２】
以上のように、シート搬送方向と直交する方向のシートサイズを検出して制御するため、シート搬送方向先端が第２シートサイズ検出手段に到達すればシートサイズを把握することができ、シートの搬送方向後端を検出する必要がない。このため、画像形成部にシートが達する前にシートサイズが適正でないことを制御手段が判別し、画像形成部からシートに対する画像の転写を行わなければ、トナー消費を抑制することができる。また、第２シイートサイズ検出手段は、もとよりシートの位置ズレを検出するために配置されるものであるため、シートサイズ検出のために新たな構成を追加しなくともよい。このため、コストアップすることなく、トナー消費を抑制することができる。
【発明を実施するための最良の形態】
【００１３】
〔第１実施形態〕
以下、本発明の第１実施形態を図面を参照して詳細に説明する。説明は、画像形成装置の全体説明、シート積載手段の説明、カセット内シートサイズ検出装置の説明、シート配置検出装置の説明、シートサイズの不一致検出装置の順で説明を行う。
【００１４】
第１実施形態では、シート積載手段である給送カセットにおいて設定されているカセット内シートサイズと、画像形成部へと搬送されているシートＳの横幅（シート搬送方向と直交する方向の幅）サイズとが一致しているか否かの判別を画像形成動作前に行うものである。図１は第１実施形態に係る画像形成装置におけるシートサイズの不一致検出手法を示す概略ブロック図である。
【００１５】
（画像形成装置51）
図３を用いて画像形成装置の全体構成の説明をする。画像形成装置51として、４ドラムフルカラー方式のカラープリンターを例示する。画像形成装置51は、像担持体としての各色の感光体ドラム52（52Ｙ、52Ｍ、52Ｃ、52Ｂｋ）が、それぞれイエロー、マゼンタ、シアン、ブラックの現像剤（トナー）を備えた画像形成ステーションごとに設けられている。
【００１６】
各感光体ドラム52（52Ｙ、52Ｍ、52Ｃ、52Ｂｋ）の表面は、各色に対応した露光手段としてのレーザスキャナ装置53（53Ｙ、53Ｍ、53Ｃ、53Ｂｋ）から発せられたレーザ光により露光され、感光体ドラム52上に静電潜像を形成する。この静電潜像に対して各色の現像手段からトナーが供給され、トナー像が形成される。その後、感光体ドラム52上のトナー像は、中間転写ベルト54に転写される。
【００１７】
シートを積載するシート積載手段としての給送カセット１には、シートＳが積載される。給送時には給送カセット１からピックアップローラ９によりシートＳの給送が行なわれ、フィードローラ10、リタードローラ11、フィードローラ対55を通って、レジストローラ56によりシートＳの斜行が矯正される。その後シートＳは、二次転写ローラ57へ搬送される。
【００１８】
中間転写ベルト54と二次転写ローラ57との間に搬送されたシートＳには、中間転写ベルト54上に形成されたトナー像が転写され、画像形成がされる。そして、搬送経路下流にある定着器58により、転写されたトナー像がシートＳに加熱・加圧されて定着される。その後、シートＳは排出ローラ59、60により排出トレイ61に排出される。
【００１９】
（シート積載手段）
図４及び図５を用いて、シート積載手段である給送カセット１の説明を行う。図４は給送カセットの概略構成を示す上面図であり、図５は給送カセットの概略構成を示す側面図である。尚、図５は給送カセットに積載されたシートの給送準備が完了した際の配置図である。給送カセット１は、カセットハウジング１ａと、シートＳが積載され、回動支点３を支点として回動可能な中板２と、積載されているシートＳの上面が適正な給送位置になるまで持上げるリフタ４とを備えている。
【００２０】
シートＳの側面配置を規制するサイド規制板５及び６は幅方向（シート搬送方向と直交する方向：図５矢印Ｂ方向）に移動可能に取り付けられている。このサイド規制板５及び６には、それぞれラックギヤ５ａ、６ａが備えられており、これらラックギヤ５ａ、６ａは、ピニオンギヤ７によって連結されている。これによりサイド規制板５及び６はピニオンギヤ７を中心にして対称的に連動しつつ、シートＳを挟持する構成となっている。
【００２１】
また、給送カセット１のシート搬送方向の後方には、シートＳの後端を規制する後端規制板８が矢印Ａの方向（シートＳの給送方向）に移動可能に取り付けられている。前記サイド規制板５、６及び後端規制板８を、使用者が手動で移動させることによりＡ５、ＥＸＥ、Ａ４、ＬＴＲ、Ａ３、ＬＤＲなどに代表される多様なサイズのシートＳを選択的に給送カセット１に積載収納することができる。
【００２２】
給送カセット１にセットされたシートＳは、画像形成装置51側に取り付けられた給送手段としてのピックアップローラ９、フィードローラ10、及び給送カセット１側に設けられたリタードローラ11により、給送カセット１から送り出される。
【００２３】
（カセット内シートサイズ検出装置16）
次に給送カセット内に積載されているシートのサイズを検出するカセット内シートサイズ検出装置（第１シートサイズ検出手段）16の説明を行う。図６はカセット内シートサイズ検出装置16の機構を説明するための上面図であり、図７はさらに詳しくカセット内シートサイズ検出装置16の機構のメカフラグ構成を示した上面図であり、図８はカセット内シートサイズ検出装置16の機構を説明するための側面図であり、図９はカセット内シートサイズ検出装置16の機構による４段階検出を説明する図表である。
【００２４】
給送カセット１は、サイド規制板５及び６に連動するサイズ検出カム12により押されたスイッチと、後端規制板８と連動するコマ板13及びアーム14により押されたスイッチの組み合わせによりシートサイズの検出を行う機構を有している。
【００２５】
サイド規制板５及び６側のカセット内シートサイズ検出装置についてさらに詳しく説明する。図６に示すように、サイズ検出カム12は回動軸15を中心に回動し、カム先端12ｅがサイド規制板６に接触することでサイド規制板６と連動して回動しつつ、サイド規制板配置の検出を行うようになっている。
【００２６】
本実施形態では、サイド規制板側のシートサイズ検出は４段階検出（12ａ、12ｂ、12ｃ、12ｄ）としている。
【００２７】
図６及び図７はＬＴＲ及びＬＤＲサイズをセットできる位置にサイド規制板５及び６を移動させた図である。スイッチ17ａ、17ｂで検出する位置は、図６における位置12ｆ、つまりＬＴＲ、ＬＤＲでは位置12ｂということになる。図７によると、このときスイッチ17ａはオン、17ｂはオフとなっている。
【００２８】
図８に、図７の矢印Ｃ方向から見た図を示すと、サイズ検出カム12の上側のフラグ部ｂ１が凸、フラグ部ｂ２が凹となっており、フラグ部ｂ１により画像形成装置51側に設置されているスイッチアーム18が回動軸20を中心に押され、スイッチ17ａを押し、スイッチ17ａはオンとなる。またフラグ部ｂ２は凹であるため、画像形成装置51側に設置されているスイッチアーム19は押されず、スイッチ17ｂはオフとなる。以上のような機構により、サイド規制板側のサイズ、つまりシート幅サイズの検出を行うことができる。
【００２９】
このように、画像形成装置51側に設置されている複数の検出素子としての三連スイッチ17のうち２個のスイッチ17ａ、17ｂをオン、オフさせて、サイド規制板６側のサイズ検出を４段階で行う。即ち、図９に示すように、三連スイッチ17を作動させる基準となる位置12ｆが12ａの位置であれば、スイッチ17ａ、17ｂがともにオンとなり、上述のように12ｂの位置であれば、スイッチ17ａがオン、スイッチ17ｂがオフとなる。また、三連スイッチ17の位置12ｆが12ｃの位置であれば、スイッチ17ａ、17ｂがともにオフとなり、12ｄの位置であれば、スイッチ17ａがオフ、スイッチ17ｂがオンとなる。
【００３０】
（シート配置検出装置33）
次に、コンタクトイメージセンサ（以下、「ＣＩＳ」と省略する。）を用い、レジストローラ56を通過したシートＳの搬送方向と直交する方向における端部位置ズレ量（以後、単に「端部位置ズレ量」と省略する。）及びシート幅サイズ（以後、単に「シート幅サイズ」と省略する。）を検出するシート配置検出装置について図１０を用いて説明する。
【００３１】
レジストローラ56の下流にはＣＩＳ71が装備され、後述のように前記端部位置ズレ量が検出される。検出されたシートＳの端部位置ズレ量情報は、不図示のプリンタコントローラにフィードバックされて、レーザスキャナ装置による画像書き出し位置の補正が行われる。このように、シートＳの端部位置ズレ量に応じて画像の書き出し位置の制御を行うので、シートＳの端部位置ズレが生じた場合においても画像の欠落がなく、所定の記録位置に画像を形成することが可能である。また、端部位置ズレ量の検出と同時にシートＳの端部位置を算出することにより、シート幅サイズの検出を行うことが可能である。
【００３２】
図１１に画像形成装置におけるシート位置ズレ量及びシートサイズを検出するＣＩＳ71の概略斜視図を示す。シートＳが搬送される搬送路において、シート端部に相当する部分の上部に発光素子72が、下部に受光素子73が装備される。この発光素子72と受光素子73との間にシートＳ及びシート端が存在する。また、発光素子72と受光素子73とは、上下逆に配置された場合においても効果は同等である。
【００３３】
図１２は画像形成装置におけるシートＳの端部位置ズレ量及びシート幅サイズの双方を検出するＣＩＳ71とシートＳとの配置関係、及びＣＩＳ71に入出力する信号とのタイミングを示す図である。
【００３４】
図１２（ａ）に示すように、発光素子72はＬＥＤ74とライトガイド75を有し、ＬＥＤ74から発光された光をライトガイド75により均一に受光素子73に対して照射する。受光素子73は、一般的に光半導体素子がアレイ状に構成されたものが用いられる。また、図１２（ｂ）に示すように、受光素子73の受光モジュール（ＣＩＳ71）の出力は、発光素子72からの光がシートＳによって遮断された場合には出力されずオフとなる。
【００３５】
こうして、オンオフの切り替わる位置がシートＳの配置により変動することとなる。この光の遮断や透過を示すオンオフ信号は、受光１素子ごとに反応し、シリアルのアナログ信号として出力される。従って、このアナログ信号を所定のスライスレベル電圧にて２値化したパルス信号を生成し、パルス信号の量をカウントすることにより、シートＳの位置ズレ量及びシート幅サイズを検出することが可能となる。
【００３６】
図１３を用いて、このＣＩＳ71が出力する前記パルス信号のカウント手法について説明する。図１３は画像形成装置におけるシートＳの位置ズレ量及びシートサイズを検出する回路ブロックを示した図である。
【００３７】
図１３において、パルス信号をカウントするためのモジュールは、マイコン50と、電流増幅器32と、シート配置検出装置33と、２値化コンパレータ部34と、ロジックモジュール35とから構成される。マイコン50は、シート配置検出装置33に構成されるＬＥＤ74を駆動するための信号を出力する。出力されたＬＥＤ駆動信号は、電流増幅器32により電流増幅されてＬＥＤ74を駆動し、光が発光される。発光された光は、図１２（ａ）にて説明したように、ライトガイド75によりアレイ状の受光素子へと均一に照射される。
【００３８】
ロジックモジュール35では、ＣＩＳ71に入力されるＣＩＳクロック（例えば、５００ＫＨｚ〜１ＭＨｚ程度）と、ＣＩＳスタートパルスがシート端部位置センサ制御モジュール40にて生成され、ＣＩＳ71へと入力される。ＣＩＳ71は、図１２に示したように、前記ＣＩＳスタートパルスに同期して、アレイ状の受光素子73のスキャンを開始し、前記ＣＩＳクロックと同じクロック幅のアナログデータをシリアルに出力する。
【００３９】
前記出力されたアナログデータは、２値化コンパレータ部34にて所定のスライスレベル電圧と比較され、０または１のデジタルパルス信号に変換される。以下、このデジタルパルス信号をＣＩＳＳＮＳデジタル信号と表す。但し、２値化コンパレータ部34においては、応答の遅延時間（例えば、５０ｎｓ）が発生するため、ＣＩＳＳＮＳデジタル信号の遅延時間も考慮したデータ保証領域にてＣＩＳサンプリングクロックの立ち上がりエッジに同期して取り込まれる。これらの信号のタイミング関係を図１４に示す。
【００４０】
ＣＩＳサンプリングクロックは、このデータ保証領域にて確実にサンプリングを行うタイミングとなるように、ＣＩＳクロックの立ち上がりエッジから所定周期遅延されて生成されたものである。
【００４１】
また、ＣＩＳＳＮＳ信号は、ＣＩＳクロックの立ち上がりと立ち下りの双方のエッジに同期してシリアル出力される。このため、ＣＩＳサンプリングクロックの周波数は、ＣＩＳクロックの周波数の２倍となるように生成され、ＣＩＳサンプリングクロックの立ち上がりエッジにて、ＣＩＳＳＮＳデジタル信号がサンプリングされる。
【００４２】
図１３におけるパルスカウント部42は、シート端部位置センサ制御モジュール40より入力されるＣＩＳスタートパルスに同期して、カウントが開始される。ＣＩＳＳＮＳデジタル信号のカウントは、シート端部位置センサ制御モジュール40のＣＩＳサンプリングクロックにより行われ、カウントしたデータ値は、ロジックモジュール35に構成されるレジスタ41に、例えば１０ｂｉｔカウントデータ43としてラッチされる。ラッチ動作は、シート端部位置センサ制御モジュール40におけるＣＩＳスタートパルスに同期して行われる。その後、マイコン50によりラッチされたカウントデータが読み出されることにより、シートＳが給送口に搬送された際のシートＳの端部位置ズレ量及びシート幅サイズを検出することが可能となる。
【００４３】
（シートサイズの不一致検出）
次に、シートサイズの不一致検出について図１及び図１０を用いて説明する。本実施形態のシートサイズの不一致検出のためには、エンジンコントローラ70と、給送カセット１と、シート配置検出装置33を必要とする。
【００４４】
エンジンコントローラ70は、マイコン50と、ロジックモジュール35と、２値化コンパレータ部34と、電流増幅器32とから構成される。給送カセット１には、前述のカセット内シートサイズ検出装置が装備され、給送カセット１内に構成されているサイド規制板６及び後端規制板８の位置検出が行われる。シート配置検出装置33は、前述したように画像形成部へ給送されるシートＳの端部位置ズレ及びシート幅サイズの検出を行う。
【００４５】
本実施形態のシートサイズの不一致検出においては、給送カセット１内に設定されていると予想されるシート幅サイズと、実際に画像形成部に搬送されるシート幅サイズとの比較を画像形成動作前に検出することを特徴とする。以下、本検出装置について詳しく説明する。
【００４６】
まず、画像形成装置51の電源がオンされる、あるいは画像形成装置51内に給送カセット１が挿入される。すると、マイコン50は、所定シーケンスに従いサイド規制板６及び後端規制板８の位置情報を前記カセット内シートサイズ検出装置から取り込み、給送カセット１内に設定されているカセット内のシートサイズを算出する。算出されたカセット内のシートサイズの情報はマイコン50内に構成されるＲＡＭに保存・格納される。
【００４７】
マイコン50は、プリンタコントローラ80からプリントコマンドを受信するとプリントシーケンスを起動させる。ホストコンピュータからのシートサイズ情報と合致するシート積載手段を選択し、シートＳを画像形成部に搬送するために図１０に示すフィードローラ10及びリタードローラ11を回転させる。プリント準備が整うと、記録媒体であるシートＳは、ピックアップローラ９の回転により給送カセット１からピックアップされて、フィードローラ10に送り込まれる。フィードローラ10を通過したシートＳは、レジストローラ56に送り込まれて、シートＳの斜行が矯正される。
【００４８】
レジストローラ56には、図３、図１５に示すように、シートＳの突入と同期して動作するメカフラグ24と、メカフラグ24の遮光動作によりシート先端位置を検出するセンサ（例えば、フォトインタラプタ25）とが構成されており、搬送されているシートＳの先端位置が検出される。
【００４９】
レジストローラ56の下流には、前述したシート配置検出装置33が構成されている。これにより、搬送されているシートＳの端部位置ズレ量及びシート幅サイズが検出され、一旦マイコン50のＲＡＭに保存・格納される。マイコン50は、ＲＡＭに保存したシート幅サイズと前記保存されていたカセット内シートサイズの情報を即時に比較することにより、画像形成動作前の段階において、実際に搬送されてきたシートＳが画像形成予定であるシート幅サイズと一致しているか否かの判別を行うことが可能となる。
【００５０】
マイコン50は、カセット内シートサイズとシート幅サイズが不一致であると判断した場合（完全に一致していない場合のみならず、適正に対応していないと判断した場合も含む）には、レーザスキャナ装置及び高圧電源装置に対し、画像形成を行わないように各装置の各種設定を変更する。レーザスキャナ装置は露光を停止し、高圧電源装置はバイアス出力をオフにする。
【００５１】
従って、搬送されているシートＳには画像形成を行われず、白紙にてプリンタの排出トレイ61に出力される。そして、給送カセット１に設定されているカセット内シートサイズと実際に搬送されたシート幅サイズが一致していなかったエラー情報をプリンタコントローラ80に送信する。
【００５２】
シートサイズ不一致のエラー情報は、プリンタコントローラ80によりオペレーションパネル82のディスプレイ83に表示され、ユーザに報知される。このような構成によれば、ユーザは画像形成装置51の前方側から、シートサイズ不一致の状況を容易に把握することができる。
【００５３】
また、自動両面搬送装置を備えた画像形成装置においては、白紙を排出口に出力するのではなく、プリント用紙として両面印字待機部に搬送する。これにより、次のプリント時にユーザの操作なしで再使用することも容易に可能となる。このように構成すれば、シートＳを無駄に消費することを抑制することができる。
【００５４】
以上のように、本実施形態においては、ＣＩＳ71を有するシート配置検出装置33を用いてシートＳの端部位置ズレを行うとともに、シートＳのサイズの検出をも行う。シート配置検出装置33は、もとより位置ズレを行うために配設されるものである。このため、シートサイズ（第２シートサイズ）を検出するために新たに部材を追加する必要がなく、コストアップをすることがない。
【００５５】
また従来においては、シートＳのサイズを検出する際、シートＳの搬送方向のサイズを検出し、比較する構成であったため、シートの後端がフラグ等から抜けないとシートサイズを検出することができなかった。これに対して、本実施形態は、まず、ＣＩＳ71を有するシート配置検出装置33が、シート搬送方向と直交する方向のサイズを検出する。そして、マイコン50が、予めカセット内シートサイズ検出装置16によって検出したカセット内シートサイズ（シート搬送方向と直交する方向のサイズ：第１シートサイズ）とを比較するという構成である。
【００５６】
このため、シートＳの先端がシート配置検出装置33のＣＩＳ71を通過した時点、即ち、まだシートＳが二次転写ローラ57に到達していない段階で、シートＳのサイズを検出することができる。従って、マイコン50が、シート配置検出装置33により検出されたシートサイズと、カセット内シートサイズとが異なると判断した場合、トナー像はシートＳに転写されていない。このため、この時点において、マイコン50がシートＳに画像を転写しないこととすれば、トナーを消費することを抑制することができ、かつシートＳにも画像が形成されていないため、シートＳも再び利用することができる。
【００５７】
尚、マイコン50がシートサイズが不一致だと判断した場合に、マイコン50が画像形成動作をも行わないように制御することとしてもよい。このように制御すれば、中間転写ベルト54や感光体ドラム52に対してもトナーが供給されることがないため、更にトナー消費を抑制することができる。
【００５８】
また、マイコン50がシートサイズが不一致だと判断した場合に、トナー像をシートＳに転写することなくシートＳを排出することとしている。このため、ユーザがシートＳを装置内から取り出す手間を省くことができる。
【００５９】
また、マイコン50が、シートサイズが不一致だと判断した場合であっても、シート配置検出装置33により検出されたシートサイズよりも、カセット内シートサイズ検出装置16により検出されたシートサイズが小さい場合、画像形成部において継続して画像形成動作を行ってもよい。この場合、予想されたシートサイズよりも画像形成直前で検出されたシートサイズの方が大きいのであるから、たとえ画像を通常どおり転写したとしても、全ての画像がシートからはみ出ることなく転写されるためである。
【００６０】
尚、この場合においても、エラー情報をオペレーションパネル82のディスプレイ83上に表示することとしてもよい。通常通り画像形成は行ったが、検出結果が異なった旨をユーザに伝えることができ、ユーザが状況を理解することができるためである。
【００６１】
〔第２実施形態〕
本発明の第２実施形態を図２を参照して詳細に説明する。図２は第２実施形態に係る画像形成装置におけるシートサイズの不一致検出手法を示す概略ブロック図である。画像形成装置、シート積載手段、シート配置検出装置等、前述と同様の構成に関しては、同符号を付して説明を省略する。
【００６２】
（シートサイズの不一致検出）
第２実施形態のシートサイズの不一致検出においては、ユーザによりホストコンピュータ90のプリンタドライバ上にて設定されたシートサイズと、実際に画像形成部に搬送されるシート幅サイズとの比較を画像形成動作前に検出することを特徴とする。以下、本検出装置について詳しく説明する。
【００６３】
本実施形態では、前記プリンタドライバ上においてシートサイズをユーザが設定し、かつマルチ給送トレイ81からプリント動作させる場合を一例として説明する。
【００６４】
画像形成装置に装備されているマルチ給送トレイ81は、給送カセット１に積載可能なシート種やシートサイズ以外の記録シートを一時的かつ簡単にプリントできる利点を有する。しかし、シートサイズが特定されにくいため、シートサイズの検出機構は一般に構成されていない場合が多い。
【００６５】
マルチ給送トレイ81よりプリントを行うユーザは、ホストコンピュータ90に、入力手段としてインストールされているプリンタドライバのユーザインターフェイス上又は画像形成装置51に配置されているオペレーションパネル82から、画像形成装置51の給送手段を給送カセット１からマルチ給送トレイ81へと変更する旨や、画像が転写される記録媒体であるシートの種類（厚紙、ＯＨＴ等）やサイズ等のプリント情報を入力して指定する。
【００６６】
ホストコンピュータ90は、ユーザから設定された前記プリント情報を、例えばネットワークを介して、画像形成装置のプリンタコントローラ80に送信する。さらにプリンタコントローラ80は、エンジンコントローラ70と通信を行ってマイコン50に前記プリント情報を送信する。
【００６７】
マイコン50は、前記プリント情報を受信し、一旦ＲＡＭに保存・格納した後、マルチ給送トレイ81を選択してフィードローラ10の回転駆動及びシートＳのピックアップ動作をさせてレジストローラ56にシートＳを搬送する。
【００６８】
レジストローラ56に搬送されたシートＳは斜行が矯正され、第１実施形態と同様に、シートＳの突入と同期して動作するメカフラグ24とメカフラグの動作により遮光されるフォトインタラプタ25とによりシートの先端レジスト位置が検出される。
【００６９】
レジストローラ56の下流には、第１実施形態と同様に、シート配置検出装置33が構成されており、搬送されているシートＳの端部位置ズレ量及びシート幅サイズが検出されて一旦ＲＡＭに保存・格納される。マイコン50は、ＲＡＭに保存されたシート幅サイズと、ユーザがプリンタドライバにおいて設定した前記プリント情報内のシートサイズの情報を即時に比較する。これにより、画像形成動作前の段階において、実際に搬送されてきたシートＳが画像形成予定であるシート幅サイズと一致しているか否かの検出を行うことが可能となる。
【００７０】
マイコン50は、前記プリンタドライバ設定のシートサイズと搬送中のシート幅サイズが不一致であると判断した場合には、レーザスキャナ装置及び高圧電源装置に対し、画像形成を行わないように各装置の各種設定を変更する。レーザスキャナ装置は露光を停止し、高圧電源装置はバイアス出力をオフする。従って、搬送されているシートＳは画像形成を行われず、白紙にてプリンタの排出トレイ61に出力される。そして、前記プリンタドライバ設定のシートサイズと実際に搬送されたシート幅サイズが一致していなかったエラー情報をプリンタコントローラ80に送信する。
【００７１】
シートサイズ不一致のエラー情報は、プリンタコントローラ80によりオペレーションパネル82のディスプレイ83に表示され、ユーザに報知される。あるいは、ホストコンピュータを介して、プリンタドライバ91のユーザインターフェイスによりユーザに報知される。これによっても、前述の実施形態と同様の作用、効果を得ることができる。
【００７２】
〔他の実施形態〕
前述した実施形態においては、画像形成装置として電子写真方式の４色カラーレーザープリンタに適用した例を示したが、これに限るものではない。例えば、複写機、ファクシミリ装置等の画像形成装置に適用してもよい。また、カラーのものに限らず、単色でもよい。
【００７３】
また、画像形成部の画像形成方式を電子写真方式に限るものでもない。例えば、インクジェット方式で画像を形成する画像形成装置にも適用することができる。
【図面の簡単な説明】
【００７４】
【図１】第１実施形態に係る画像形成装置におけるシートサイズの不一致検出手法を示す概略ブロック図。
【図２】第２実施形態に係る画像形成装置におけるシートサイズの不一致検出手法を示す概略ブロック図。
【図３】画像形成装置の全体構成を示す概略構成図。
【図４】給送カセット１の概略構成を示す上面図。
【図５】給送カセット１の概略構成を示す側面図。
【図６】カセット内シートサイズ検出装置16の機構の上面図。
【図７】カセット内シートサイズ検出装置16の機構の拡大上面図。
【図８】カセット内シートサイズ検出装置16の機構の側面図。
【図９】カセット内シートサイズ検出装置16による４段階検出を説明する図表。
【図１０】給送構成の概要を示すイメージ図。
【図１１】ＣＩＳ71の概略斜視図。
【図１２】ＣＩＳ71とシートＳとの配置関係及びＣＩＳ71に入出力する信号とのタイミングを示す図。
【図１３】シートＳの位置ズレ量及びシートサイズを検出する回路ブロックを示す図。
【図１４】画像形成装置におけるコンタクトイメージセンサが出力するＣＩＳＳＮＳ信号とＣＩＳＳＮＳ信号のサンプリング動作及びＡＤコンバータ部に関係する各信号のタイミングを示した図。
【図１５】レジストローラ56周りにおけるシート先端検出機構の説明図。
【図１６】従来の画像形成装置の構成の説明図。
【符号の説明】
【００７５】
Ｓ…シート
１…給送カセット（シート積載手段）
16…カセット内シートサイズ検出装置（第１シートサイズ検出手段）
33…シート配置検出装置（第２シートサイズ検出手段）
50…マイコン（制御手段）
51…画像形成装置
81…マルチ給送トレイ（シート積載手段）
82…オペレーションパネル（入力手段）
83…ディスプレイ（表示手段）
【図１】
2006308927.tif 000003
【図２】
2006308927.tif 000004
【図３】
2006308927.tif 000005
【図４】
2006308927.tif 000006
【図５】
2006308927.tif 000007
【図６】
2006308927.tif 000008
【図７】
2006308927.tif 000009
【図８】
2006308927.tif 000010
【図９】
2006308927.tif 000011
【図１０】
2006308927.tif 000012
【図１１】
2006308927.tif 000013
【図１２】
2006308927.tif 000014
【図１３】
2006308927.tif 000015
【図１４】
2006308927.tif 000016
【図１５】
2006308927.tif 000017
【図１６】
2006308927.tif 000018